(57)【特許請求の範囲】
【請求項１】
測位ビーコン送信機において、
プロビジョニングエンティティからの１つまたは複数のプローブ信号の受信に応答して、前記測位ビーコン送信機を登録することと、前記１つまたは複数のプローブ信号は、配電網に接続されたビーコンノードを発見するためのものであり、前記１つまたは複数のプローブ信号は、商用品質の電源に接続されたケーブル媒体から受信される、
前記ケーブル媒体を介して、商用品質の電源から交流電力信号を受信することと、
前記プロビジョニングエンティティから前記ケーブル媒体を介してプロビジョニング信号を受信することと、前記プロビジョニング信号は、前記測位ビーコン送信機のロケーションの指示を備える、
前記測位ビーコン送信機の前記ロケーションの前記指示によって、少なくとも部分的に、変調されたビーコン信号を送信するように、前記測位ビーコン送信機を構成することと
を備える方法。
【請求項２】
前記プロビジョニング信号は、一意の識別子、絶対送信機位置、相対送信機位置、高さ、または階数のうちの１つまたは複数を備える、請求項１に記載の方法。
【請求項３】
前記プロビジョニング信号は、前記ビーコン信号の送信電力を調整するための指示を備え、前記ビーコン信号の送信電力を調整するための前記指示によって、少なくとも部分的に、変調された前記ビーコン信号を送信するように、前記測位ビーコン送信機を構成することをさらに備える、請求項１に記載の方法。
【請求項４】
前記交流電力信号を受信することは、電気用壁面ソケットから前記交流電力信号を受信することを備える、請求項１に記載の方法。
【請求項５】
商用品質の交流電力信号を受信するための、および１つまたは複数のプローブ信号の受信に応答して、プロビジョニングエンティティに測位ビーコン送信機を登録するための、ケーブル媒体に接続されるべき電源回路と、前記１つまたは複数のプローブ信号は、前記測位ビーコン送信機を発見するためのものである、
前記ケーブル媒体上で受信されたデータ信号を復調するために前記ケーブル媒体に接続されるべき復調器と、
ビーコン信号を送信するためのワイヤレス送信機と、
前記復調データ信号に応答して、前記データ信号中の、前記測位ビーコン送信機のロケーションの指示によって、少なくとも部分的に、変調された前記ビーコン信号を送信するように前記ワイヤレス送信機を構成するためのプロセッサと
を備える測位ビーコン送信機。
【請求項６】
前記データ信号は、前記交流電力信号からは実質的に分離された周波数帯上で、前記ケーブル媒体上で送信される、請求項５に記載の測位ビーコン送信機。
【請求項７】
前記ロケーションの前記指示は、一意の識別子、絶対送信機位置、相対送信機位置、高さまたは階数のうちの１つまたは複数を備える、請求項５に記載の測位ビーコン送信機。
【請求項８】
前記プロセッサは、さらに、前記測位ビーコン送信機を構成するための前記復調データ信号に応答して、前記データ信号中の、前記ビーコン信号の送信電力を調整するための指示によって、少なくとも部分的に、変調された前記ビーコン信号を送信するように前記ワイヤレス送信機を構成するためのものである、請求項５に記載の測位ビーコン送信機。
【請求項９】
前記ロケーションの前記指示は、一意の識別子、絶対送信機位置、相対送信機位置、高さまたは階数のうちの１つまたは複数を備える、請求項５に記載の測位ビーコン送信機。
【請求項１０】
測位ビーコン送信機の特殊目的コンピューティング装置によって実行可能な、記憶された機械可読命令を備える非一時的記憶媒体であって、前記命令は、
プロビジョニングエンティティからの１つまたは複数のプローブ信号の受信に応答して、前記測位ビーコン送信機を登録し、前記１つまたは複数のプローブ信号は、配電網に接続されたビーコンノードを発見するためのものであり、前記１つまたは複数のプローブ信号は、商用品質の電源に接続されたケーブル媒体から受信される、
前記商用品質の電源に接続された前記ケーブル媒体を介して前記プロビジョニングエンティティから受信されたプロビジョニング信号を取得し、前記プロビジョニング信号は前記測位ビーコン送信機のロケーションの指示を備える、
前記測位ビーコン送信機の前記ロケーションの前記指示によって、少なくとも部分的に、変調されたビーコン信号を送信するように、前記測位ビーコン送信機を構成する
ように実行可能である、非一時的記憶媒体。
【請求項１１】
配電網に接続されたビーコンノードを発見するための、プロビジョニングエンティティからの１つまたは複数のプローブ信号の受信に応答して、測位ビーコン送信機を登録するための手段と、前記１つまたは複数のプローブ信号は、商用品質の電源に接続されたケーブル媒体から受信される、
前記ケーブル媒体を介して、前記商用品質の電源から交流電力信号を受信するための手段と、
前記ケーブル媒体を介して、前記プロビジョニングエンティティからプロビジョニング信号を受信するための手段と、前記プロビジョニング信号は、前記測位ビーコン送信機のロケーションの指示を備える、
前記測位ビーコン送信機の前記ロケーションの前記指示によって、少なくとも部分的に、変調されたビーコン信号を送信するように、前記測位ビーコン送信機を構成するための手段と
を備える装置。
【請求項１２】
プロビジョニングエンティティにおいて、
１つまたは複数の測位ビーコン送信機による、前記プロビジョニングエンティティからの１つまたは複数のプローブ信号の受信に応答して、ワイヤーに接続された前記１つまたは複数の測位ビーコン送信機を発見することと、前記ワイヤーは、前記１つまたは複数の測位ビーコン送信機を登録するため、および建築物内の商用品質の電源を使用して交流電力信号を送信するために利用される、
前記１つまたは複数の測位ビーコン送信機を構成するための１つまたは複数のコマンドを決定することと、
前記１つまたは複数のコマンドを、前記ワイヤーを介した送信のために変調することと、
前記１つまたは複数のコマンドを、１つまたは複数のプロビジョニング信号として、前記ワイヤーを介して前記１つまたは複数の測位ビーコン送信機に送信することと、前記１つまたは複数のプロビジョニング信号は、前記１つまたは複数の測位ビーコン送信機のロケーションの指示を備える、
を備える方法。
【請求項１３】
前記ロケーションの前記指示は、一意の識別子、絶対送信機位置、相対送信機位置、高さまたは階数のうちの１つまたは複数を備える、請求項１２に記載の方法。
【請求項１４】
前記１つまたは複数のプロビジョニング信号は、前記１つまたは複数の測位ビーコン送信機から送信される１つまたは複数のビーコン信号の送信電力を調整するための指示をさらに備える、請求項１２に記載の方法。
【請求項１５】
１つまたは複数の測位ビーコン送信機を発見するための１つまたは複数のプローブ信号をブロードキャストするための、および前記１つまたは複数の測位ビーコン送信機からの登録信号を受信するためのトランシーバと、前記トランシーバは、さらに、建築物内の商用品質の電源としての、交流電力信号の送信用のワイヤーを介してデータ信号を送信するためのものである、
１つまたは複数の測位ビーコン送信機を構成するための１つまたは複数のコマンドを決定することと、
前記ワイヤーを介して、前記１つまたは複数の測位ビーコン送信機への、１つまたは複数のプロビジョニング信号としての、前記１つまたは複数のコマンドの送信を開始することと、前記１つまたは複数のプロビジョニング信号は、前記１つまたは複数の測位ビーコン送信機のロケーションの指示を備える、
を行うためのプロセッサと
を備える装置。
【請求項１６】
前記ロケーションの前記指示は、一意の識別子、絶対送信機位置、相対送信機位置、高さまたは階数のうちの１つまたは複数を備える、請求項１５に記載の装置。
【請求項１７】
前記１つまたは複数のプロビジョニング信号は、前記１つまたは複数の測位ビーコン送信機から送信される１つまたは複数のビーコン信号の送信電力を調整するための指示をさらに備える、請求項１５に記載の装置。
【請求項１８】
特殊目的コンピューティング装置によって実行可能な、記憶された機械可読命令を備える非一時的記憶媒体であって、前記命令は、
１つまたは複数の測位ビーコン送信機を発見するため、および前記１つまたは複数の測位ビーコン送信機からの登録信号を受信するために、１つまたは複数のプローブ信号を、建築物内の商用品質の電源としての、交流電力信号の送信用のワイヤーを使用して、ブロードキャストし、
１つまたは複数の測位ビーコン送信機を構成するための１つまたは複数のコマンドを決定し、
１つまたは複数のプロビジョニング信号としての前記１つまたは複数のコマンドの送信を、前記建築物内の前記商用品質の電源としての、前記交流電力信号の送信用の前記ワイヤーを介して、前記１つまたは複数の測位ビーコン送信機に対して開始する、前記１つまたは複数のプロビジョニング信号は、前記１つまたは複数の測位ビーコン送信機のロケーションの指示を備える、
ように実行可能である、非一時的記憶媒体。
【請求項１９】
１つまたは複数の測位ビーコン送信機を発見し、交流電力信号の送信用のワイヤーを利用するための手段と、前記発見することは、前記１つまたは複数の測位ビーコン送信機が、プロビジョニングエンティティからのプローブ信号を受信することと、前記受信されたプローブ信号に応答して登録信号を送信することと、に応答して行われる、
前記１つまたは複数の測位ビーコン送信機を構成するための１つまたは複数のコマンドを決定するための手段と、
前記１つまたは複数のコマンドを、建築物内の商用品質の電源としての、前記交流電力信号の送信用の前記ワイヤーを介した送信のために変調するための手段と、
前記１つまたは複数のコマンドを、１つまたは複数のプロビジョニング信号として、前記ワイヤーを介して前記１つまたは複数の測位ビーコン送信機に送信するための手段と、前記１つまたは複数のプロビジョニング信号は、前記１つまたは複数の測位ビーコン送信機のロケーションの指示を備える、
を備える装置。
【発明の詳細な説明】
【技術分野】
【０００１】
関連出願
本出願は、その全体が参照により本明細書に組み込まれる、２０１３年３月７日に出願された、「ＰＯＳＩＴＩＯＮＩＮＧ  ＢＥＡＣＯＮ  ＴＲＡＮＳＭＩＴＴＥＲ」と題する米国非仮特許出願第１３／７８９，５０４号の優先権を主張するＰＣＴ出願である。
【０００２】
[0001]  本明細書に記載する実施形態は、モバイルナビゲーション技法を対象とする。
【背景技術】
【０００３】
[0002]  グローバルナビゲーション衛星システム（ＧＮＳＳ）および他の同様の衛星測位システムは、屋外環境におけるモバイルハンドセットのためのナビゲーションサービスを可能にした。たとえば、ほんのいくつか例を挙げると、（ａ）高感度ＧＮＳＳ、（ｂ）ＷｉＦｉ（登録商標）測位、（ｃ）セルラー測位、（ｄ）慣性センサーオーグメンテーション（inertial sensor augmentation）、（ｅ）他のビーコン測位（たとえば、ＢＴ、ＵＷＢ、ＲＦＩＤ、ＮＦＣなど）を含む、モバイルデバイスにおける正確な屋内測位を可能にするための、いくつかの技術が検討されている。１つの特定の技法は、モバイルデバイスによる収集のためのビーコン信号を送信するビーコンの設置を含み得る。１つの例示的技法では、ビーコン信号を収集するモバイルデバイスは、そのロケーション（location）を、収集された信号から取得した情報、たとえば、ビーコン信号を送信したビーコンのロケーションまたはアイデンティティ（identity）などに少なくとも部分的に基づいて推定することができる。このようなビーコン信号は、ＲＦ、オーディオまたは光信号のうちのどの１つまたはそれらの組合せも備え得る。
【０００４】
[0003]  以下の図を参照しながら非限定的で非網羅的な態様について説明し、ここにおいて、別段の規定がない限り、様々な図の全体を通して、同様の参照番号は同様の部分を指す。
【図面の簡単な説明】
【０００５】
【図１】[0004]  一実装形態による、モバイルデバイスを含んでいるシステムのいくつかの特徴を示すシステム図。
【図２】[0005]  一実施形態による、データ送信機に結合された商用電力コンセントを含む建築物インフラストラクチャの概略図。
【図３】[0006]  一実装形態による、デバイスによる方法を示す流れ図。
【図４】[0007]  一実施形態によるビーコンデバイスの概略図。
【図５】[0008]  一実装形態による、例示的なプロビジョニングエンティティを示す概略ブロック図。
【図６】[0009]  一実装形態による、例示的なコンピューティングプラットフォームの概略ブロック図。
【発明の概要】
【０００６】
[00010]  簡潔に言うと、特定の実装形態は、測位ビーコン送信機（positioning beacon transmitter）において、ケーブル媒体を介して、商用品質の電源（utility-grade power source）から交流電力信号を受信することと、プロビジョニングエンティティ（provisioning entity）から前記ケーブル媒体を介してプロビジョニング信号を受信することと、前記プロビジョニング信号は、前記ロケーションビーコンのロケーションの指示を備える、前記ロケーションビーコンの前記ロケーションの前記指示によって、少なくとも部分的に、変調されたビーコン信号を送信するように、前記測位ビーコン送信機を構成することとを備える方法を対象とする。
【０００７】
[00011]  別の特定の実装形態は、商用品質の交流電力信号を受信するためのケーブル媒体に接続されるべき電源回路と、前記ケーブル媒体上で受信されたデータ信号を復調するための、前記ケーブル媒体に接続されるべき復調器と、ビーコン信号を送信するためのワイヤレス送信機と、前記復調データ信号に応答して、前記測位ビーコン送信機の前記ロケーションの前記指示によって、少なくとも部分的に、変調された前記ビーコン信号を送信するように、前記ワイヤレス送信機を構成するためのプロセッサとを備える測位ビーコン送信機を対象とする。
【０００８】
[00012]  別の特定の実装形態は、商用品質の電源に接続されたケーブル媒体を介して商用品質の電源においてプロビジョニングエンティティから受信されたプロビジョニング信号を取得し、プロビジョニング信号は測位ビーコン送信機のロケーションの指示を備える、測位ビーコン送信機のロケーションの指示によって、少なくとも部分的に、変調されたビーコン信号を送信するように測位ビーコン送信機を構成するように、測位ビーコン送信機の特殊目的コンピューティング装置によって実行可能な、記憶された機械可読命令を備える非一時的記憶媒体を備える物品を対象とする。
【０００９】
[00013]  別の特定の実装形態は、ケーブル媒体を介して、商用品質の電源から交流電力信号を受信するための手段と、プロビジョニングエンティティから前記ケーブル媒体を介してプロビジョニング信号を受信するための手段と、前記プロビジョニング信号は、前記ロケーションビーコンのロケーションの指示を備える、前記測位ビーコン送信機の前記ロケーションの前記指示によって、少なくとも部分的に、変調されたビーコン信号を送信するように、測位ビーコン送信機を構成するための手段とを備える装置を対象とする。
【００１０】
[00014]  別の特定の実装形態は、プロビジョニングエンティティにおいて、１つまたは複数の測位ビーコン送信機を構成するための１つまたは複数のコマンドを決定することと、前記１つまたは複数のコマンドを、建築物内の商用品質の電源としての、交流電力信号の送信用のワイヤーを介した送信用に変調することと、前記１つまたは複数のコマンドを、１つまたは複数のプロビジョニング信号として、前記ワイヤーを介して前記１つまたは複数のビーコン送信機に送信することと、前記１つまたは複数のプロビジョニング信号は前記測位ビーコン送信機のロケーションの指示を備える、を備える方法を対象とする。
【００１１】
[00015]  別の特定の実装形態は、建築物内の商用品質の電源として、交流電力信号の送信用のワイヤーを介してデータ信号を送信するためのトランシーバと、１つまたは複数の測位ビーコン送信機を構成するための１つまたは複数のコマンドを決定し、前記ワイヤーを介して、前記１つまたは複数の測位ビーコン送信機への、１つまたは複数のプロビジョニング信号としての、前記１つまたは複数のコマンドの送信を開始する、前記１つまたは複数のプロビジョニング信号は前記測位ビーコン送信機のロケーションの指示を備える、ためのプロセッサとを備える装置を対象とする。
【００１２】
[00016]  別の特定の実装形態は、１つまたは複数の測位ビーコン送信機を構成するための１つまたは複数のコマンドを決定し、前記１つまたは複数のビーコン送信機への、建築物内の商用品質の電源としての、交流電力信号の送信用の前記ワイヤーを介して、１つまたは複数のプロビジョニング信号としての前記１つまたは複数のコマンドの送信を開始する、前記１つまたは複数のプロビジョニング信号は前記測位ビーコン送信機のロケーションの指示を備える、ように特殊目的コンピューティング装置によって実行可能な記憶された機械可読命令を備える記憶媒体を備える物品を対象とする。
【００１３】
[00017]  別の特定の実装形態は、１つまたは複数の測位ビーコン送信機を構成するための１つまたは複数のコマンドを決定するための手段と、前記１つまたは複数のコマンドを、建築物内の商用品質の電源としての、交流電力信号の送信用のワイヤーを介した送信用に、変調するための手段と、前記１つまたは複数のコマンドを、１つまたは複数のプロビジョニング信号として、前記ワイヤーを介して前記１つまたは複数のビーコン送信機に送信するための手段と、前記１つまたは複数のプロビジョニング信号は前記測位ビーコン送信機のロケーションの指示を備える、を備える装置を対象とする。
【００１４】
[00018]  上述の実装形態は例示的な実装形態にすぎず、特許請求する主題は、必ずしもこれらの例示的な実装形態の特定の態様に限定されるとは限らないことを理解されたい。
【発明を実施するための形態】
【００１５】
[00019]  特定の実装形態において、ビーコンは、適切なビーコン信号を送信するように構成またはプロビジョニングされ得る。簡易な低コストビーコンは、外部電源（たとえば、商用品質の壁コンセント）から電力を受信するための電力ケーブルを有し得るが、専用データ通信ポート（たとえば、ワイヤードイーサネット（登録商標）、Ｂｌｕｅｔｏｏｔｈ（登録商標）、ＵＳＢまたはＷｉＦｉポート）を有する必要はなくてよい。ここで、あるエリアに渡る特定のロケーションにおけるビーコンの設置に続いて、熟練技術者（technician）は、たとえば、特定のロケーションを含むように、個々のビーコンを現場で、手作業でプログラムすることができる。ビーコンの複数の設置は、運用コストを増大させるとともに欠陥のあるプロビジョニングの危険性を増すことになる、手作業でのビーコンのプロビジョニングという冗長な作業を伴い得る。
【００１６】
[00020]  外部電源から電力を受信するための電力ケーブルを有するが、専用データ通信ポートをもたない間、特定の実装形態では、ビーコンは、中央エンティティによって電力ケーブルを介して送信されるコマンドを受信および／または応答することが可能であり得る。特定の実装形態では、これらのコマンドは、ケーブルを介して送信され、ＨｏｍｅＰｌｕｇ  Ｐｏｗｅｒｌｉｎｅ  Ａｌｌｉａｎｃｅによって、またはＩＥＥＥ  規格１９０１−２０１０、すなわちＩＥＥＥ  Ｓｔａｎｄａｒｄ  ｆｏｒ  Ｂｒｏａｄｂａｎｄ  ｏｖｅｒ  Ｐｏｗｅｒ  Ｌｉｎｅ  Ｎｅｔｗｏｒｋｓ：Ｍｅｄｉｕｍ  Ａｃｃｅｓｓ  Ｃｏｎｔｒｏｌ  ａｎｄ  Ｐｈｙｓｉｃａｌ  Ｌａｙｅｒ  Ｓｐｅｃｉｆｉｃａｔｉｏｎｓに従って開発された技法を含む、知られている電力線シグナリング技法を使って、外部電源から電力を受信するのにも使われ得る。ここで、電力ケーブルは、たとえば、壁コンセントなど、交流の商用品質の電源に接続されるか、または接合箱に直接接続され得る。たとえば、交流の商用品質電源は、回路ブレーカーパネルによって、建築物の壁の中の配線などを通して分配され得る。建築物の壁の中に隠された同じ配線を介して、中央プロビジョニングエンティティによってプロビジョニング信号が送信され得る。電力ケーブルを通して配線に接続されたビーコン送信機は、ビーコンを相応に構成するように、電力ケーブル上で受信された受信プロビジョニング信号を復調することができる。一実装形態では、図２を参照して以下で論じるように、（たとえば、対応するブレーカー回路上の）中央プロビジョニングエンティティから伸びる識別可能な配線は、建築物の中の特定の部屋または隣り合う部屋に電力を送信することができる。したがって、中央測位エンティティは、識別可能な配線上でプロビジョニング信号を送信することにより、特定の部屋または隣り合う部屋の中の特定のビーコンをアドレス指定することができる。特定の実装形態において、ビーコン送信機は、このようにして、ビーコン信号用の特定の電力レベルを移行させ、ビーコンのロケーションもしくは（たとえば、ｄＢの単位での）送信電力でビーコン信号を変調し、またはビーコンの一意の識別子（unique identifier）を設定もしくは変更するように構成され得る。
【００１７】
[00021]  いくつかの実装形態では、図１に示すように、モバイルデバイス１００は、ＳＰＳ衛星１６０から衛星測位システム（ＳＰＳ：satellite positioning system）信号１５９を受信または収集し得る。いくつかの実施形態では、ＳＰＳ衛星１６０は、ＧＰＳ衛星システムまたはＧａｌｉｌｅｏ衛星システムなどの、グローバルナビゲーション衛星システム（ＧＮＳＳ：global navigation satellite system）からであり得る。他の実施形態では、ＳＰＳ衛星は、限定はしないが、ＧＰＳ衛星システム、Ｇａｌｉｌｅｏ衛星システム、Ｇｌｏｎａｓｓ衛星システム、またはＢｅｉｄｏｕ（Ｃｏｍｐａｓｓ）衛星システムなどの複数のＧＮＳＳからのものであり得る。他の実施形態では、ＳＰＳ衛星は、たとえば、ほんの数例を挙げると、ワイドエリアオーグメンテーションシステム（ＷＡＡＳ：Wide Area Augmentation System）、欧州静止ナビゲーションオーバーレイサービス（ＥＧＮＯＳ：European Geostationary Navigation Overlay Service）、準天頂衛星システム（ＱＺＳＳ：Quasi-Zenith Satellite System）などの任意の１ついくつかの地域航法衛星システム（ＲＮＳＳ’：regional navigation satellite systems）からのものであり得る。
【００１８】
[00022]  さらに、モバイルデバイス１００は、ワイヤレス通信ネットワークに無線信号を送信し、そこから無線信号を受信し得る。一例では、モバイルデバイス１００は、ワイヤレス通信リンクを介して基地局トランシーバにワイヤレス信号を送信するか、またはそこからワイヤレス信号を受信することによってセルラー通信ネットワークと通信し得る。同様に、モバイルデバイス１００は、ワイヤレス通信リンク１２５を介してローカルトランシーバ１１５にワイヤレス信号を送信するか、またはそこからワイヤレス信号を受信し得る。
【００１９】
[00023]  特定の実装形態では、ローカルトランシーバ１１５は、ワイヤレス通信リンクを介して基地局トランシーバによって使用可能にされる距離よりも短い距離でワイヤレス通信リンクを介してモバイルデバイス１００と通信するように構成され得る。たとえば、ローカルトランシーバ１１５は、屋内環境に配置され得る。ローカルトランシーバ１１５は、ワイヤレスローカルエリアネットワーク（ＷＬＡＮ、たとえば、ＩＥＥＥ規格８０２．１１ネットワーク）またはワイヤレスパーソナルエリアネットワーク（ＷＰＡＮ、たとえば、Ｂｌｕｅｔｏｏｔｈネットワーク）へのアクセスを提供し得る。
【００２０】
[00024]  別の例示的な実装形態では、ローカルトランシーバ１１５は、セルラー通信プロトコルに従うワイヤレス通信リンク１２５上での通信を容易にすることが可能なフェムトセルトランシーバを備え得る。もちろん、これらは、ワイヤレスリンクを介してモバイルデバイスと通信し得るネットワークの例にすぎず、特許請求する主題は、この点について限定されないことを理解されたい。
【００２１】
[00025]  特定の実装形態では、基地局トランシーバ１１０およびローカルトランシーバ１１５は、リンク１４５を通してネットワーク１３０を介してサーバ１４０、１５０および／または１５５と通信し得る。ここで、ネットワーク１３０は、ワイヤードまたはワイヤレスリンクのどの組合せも備え得る。特定の実装形態では、ネットワーク１３０は、ローカルトランシーバ１１５または基地局トランシーバ１５０を通したモバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、たとえば、基地局コントローラまたはマスタ交換センター（図示せず）などのセルラー通信ネットワークインフラストラクチャを備え得る。
【００２２】
[00026]  モバイルデバイス１００は、ビーコン送信機１０４によって送信されたワイヤレス信号１２６を受動的に収集することもできる。以下で論じるように、モバイルデバイス１００は、モバイルデバイス１００の位置フィックス（position fix）または推定ロケーション（estimated location）を取得するために、複数の送信機（ビーコン送信機１０４を含む）から信号を収集することができる。ここで、ビーコン送信機１０４は、ビーコン送信機１０４のアイデンティティ（たとえば、ＭＡＣアドレス）および／またはビーコン送信機１０４の推定ロケーションに少なくとも部分的に基づいて、ワイヤレス信号１２６  １２５の少なくとも一部分を変調するようにプログラムまたは構成され得る）。ワイヤレス信号１２６の収集から、モバイルデバイス１００は、モバイルデバイス１００のロケーションの推定値を計算するための、収集されたワイヤレス信号を送信したビーコン送信機のロケーションおよび／またはアイデンティティを決定することが可能であり得る。
【００２３】
[00027]  特定の図示される実装形態において、ビーコン送信機１０４は、電気コンセント１０６などの交流（ＡＣ）電源によって電力供給され得る（たとえば、６０Ｈｚで１２０Ｖ）。さらに、以下で説明するように、ビーコン送信機１０４は、ビーコン送信機１０４を電気コンセント１０６に接続するケーブルを介して、別のデバイスと通信することができる。１つの特定の実装形態では、ビーコン送信機１０４は、モバイルデバイス１００向けの測位動作をサポートするようにビーコン送信機１０４を構成するための１つまたは複数の信号を受信し得る。たとえば、ビーコン送信機１０４は、特定の搬送周波数または電力レベルでワイヤレス信号１２６を送信し、ワイヤレス信号１２６を特定の情報、たとえば、ほんのいくつか例を挙げると、ビーコン送信機１０４のロケーションなどで変調するようにプログラムされ得る。
【００２４】
[00028]  特定の実装形態では、以下で説明するように、モバイルデバイス１００は、モバイルデバイス１００の位置フィックスまたは推定ロケーションを計算することが可能な回路および処理リソースを有し得る。たとえば、モバイルデバイス１００は、４つ以上のＳＰＳ衛星１６０までの擬似距離測定値に少なくとも部分的に基づいて位置フィックスを計算し得る。ここで、モバイルデバイス１００は、４つ以上のＳＰＳ衛星１６０から取得された信号１５９中の擬似雑音コード位相検出に少なくとも部分的に基づいてそのような擬似距離測定値を計算し得る。特定の実装形態では、モバイルデバイス１００は、たとえば、ほんの数例を挙げると、アルマナック、エフェメリスデータ、ドップラー探索ウィンドウを含む、ＳＰＳ衛星１６０によって送信された信号１５９の取得を助けるために、サーバ１４０、１５０または１５５から測位支援データを受信し得る。
【００２５】
[00029]  他の実装形態では、モバイルデバイス１００は、たとえば、高度順方向三辺測量（advanced forward trilateration）（ＡＦＬＴ）および／または観測到着時間差（ＯＴＤＯＡ：observed time difference of arrival）など、いくつかの技法のうちのいずれか１つを使用して、既知のロケーションに固定された地上波送信機（たとえば、基地局トランシーバ１１０など）から受信された信号を処理することによって、位置フィックスを取得し得る。これらの特定の技法では、モバイルデバイス１００から既知のロケーションに固定された３つ以上のそのような地上波送信機までの距離が、既知のロケーションに固定された送信機によって送信され、モバイルデバイス１００において受信されたパイロット信号に少なくとも部分的に基づいて測定され得る。ここで、サーバ１４０、１５０または１５５は、ＡＦＬＴおよびＯＴＤＯＡなどの測位技法を容易にするために、たとえば、地上波送信機のロケーションおよび識別情報を含む測位支援データをモバイルデバイス１００に与えることが可能であり得る。たとえば、サーバ１４０、１５０または１５５は、特定の１つまたは複数の領域におけるセルラー基地局のロケーションと識別情報とを示し得る基地局アルマナック（ＢＳＡ：base station almanac）を含み得る。
【００２６】
[00030]  屋内環境やビルの谷間など、特定の環境では、モバイルデバイス１００は、十分な数のＳＰＳ衛星１６０から信号１５９を収集することが可能でないか、または位置フィックスを計算するためのＡＦＬＴもしくはＯＴＤＯＡを実施することができない場合もある。代替として、モバイルデバイス１００は、ローカル送信機（たとえば、既知のロケーションに位置するＷＬＡＮアクセスポイント、フェムトセルトランシーバ、Ｂｌｕｅｔｏｏｔｈデバイスなど）から収集された信号に少なくとも部分的に基づいて位置フィックスを計算することが可能であり得る。そのようなローカル送信機は、ローカルトランシーバ１１５とビーコン送信機１０４とを含み得る。たとえば、モバイルデバイスは、既知のロケーションに位置する３つ以上の屋内地上波ワイヤレスアクセスポイントおよび／またはビーコンまでの距離を測定することによって位置フィックスを取得し得る。そのような距離は、たとえば、そのようなアクセスポイントから受信された信号からＭＡＣ  ＩＤアドレスを取得することと、たとえば、（たとえば、トランシーバについての）受信信号強度（ＲＳＳＩ）または往復時間（ＲＴＴ：round trip time）など、そのようなアクセスポイントから受信された信号の１つまたは複数の特性を測定することによってアクセスポイントまでの距離測定値を取得することとによって測定され得る。代替実装形態では、モバイルデバイス１００は、収集された信号の特性を、屋内エリア中の特定のロケーションにおける予想ＲＳＳＩおよび／またはＲＴＴシグネチャ（signature）を示す無線ヒートマップ（radio heatmap）に適用することによって、屋内位置フィックス（indoor position fix）を取得することができる。特定の実装形態では、無線ヒートマップは、ローカル送信機の識別情報（たとえば、ローカル送信機から収集された信号から識別可能であるＭＡＣアドレス）、識別されたローカル送信機によって送信された信号から予想されるＲＳＳＩ、識別された送信機から予想されるＲＴＴ、および場合によってはこれらの予想されるＲＳＳＩまたはＲＴＴからの標準偏差（standard deviation）を関連付け得る。ただし、これらは無線ヒートマップに記憶され得る値の例にすぎず、特許請求する主題はこの点について限定されないことを理解されたい。
【００２７】
[00031]  特定の実装形態では、モバイルデバイス１００は、サーバ１４０、１５０または１５５から屋内測位動作用の測位支援データを受信し得る。たとえば、そのような測位支援データは、たとえば、測定されたＲＳＳＩおよび／またはＲＴＴに少なくとも部分的に基づいて既知のロケーションに位置する送信機までの距離を測定することを可能にするために、これらの送信機のロケーションと識別情報とを含み得る。屋内測位動作を助けるための他の測位支援データは、ほんの数例を挙げると、無線ヒートマップ、送信機のロケーションおよびアイデンティティ、ルートアビリティグラフ（routeability graph）を含み得る。モバイルデバイスによって受信された他の支援データは、たとえば、表示のためにまたはナビゲーションを助けるために屋内エリアのローカルマップを含み得る。そのようなマップは、モバイルデバイス１００が特定の屋内エリアに入るとき、モバイルデバイス１００に与えられ得る。そのようなマップは、扉、通路、入口、壁などの屋内の特徴、化粧室、公衆電話、部屋名、店舗などの関心地点を示し得る。そのようなマップを取得し、表示することによって、モバイルデバイスは、追加のコンテキストをユーザに与えるために、表示されたマップ上にモバイルデバイス（およびユーザ）の現在のロケーションをオーバーレイし得る。
【００２８】
[00032]  一実装形態では、ルータビリティグラフおよび／またはデジタルマップは、モバイルデバイス１００が、屋内エリア内の、物理的障害（たとえば、壁）および通路（たとえば、壁の戸口）を条件とするナビゲーションに実現可能なエリアを定義するのを支援し得る。ここで、ナビゲーションに実現可能なエリアを定義することによって、モバイルデバイス１００は、動きモデルに従って（たとえば、パーティクルフィルタ（particle filter）および／またはカルマンフィルタ（Kalman filter）に従って）ロケーションおよび／または動き軌道（motion trajectory）を推定するため測定値をフィルタ処理するアプリケーションを助けるために制約を適用し得る。
【００２９】
[00033]  ローカル送信機からの信号の収集から取得された測定値に加えて、特定の実施形態によれば、モバイルデバイス１００は、モバイルデバイス１００のロケーションまたは動き状態を推定する際に慣性センサー（たとえば、加速度計、ジャイロスコープ、磁力計など）および／または環境センサー（たとえば、温度センサー、マイクロフォン、気圧センサー、周辺光センサー、カメライメージャなど）から取得された測定値または推論に動きモデルをさらに適用し得る。
【００３０】
[00034]  一実施形態によると、モバイルデバイス１００は、たとえば、ユニバーサルリソースロケータ（ＵＲＬ）の選択を通して屋内支援データを要求することによってサーバ１４０、１５０または１５５を通して屋内ナビゲーション支援データにアクセスし得る。特定の実装形態では、サーバ１４０、１５０または１５５は、たとえば、ほんの数例を挙げると、建築物のフロア、病院の病棟、空港のターミナル、大学構内の一部分、大型ショッピングモールのエリアを含む多くの異なる屋内エリアをカバーするために屋内ナビゲーション支援データを与えることが可能であり得る。また、モバイルデバイス１００におけるメモリリソースおよびデータ送信リソースは、サーバ１４０、１５０または１５５によってサービスされるすべてのエリアについての屋内ナビゲーション支援データの受信を、実現不可能または実行不可能にすることができ、モバイルデバイス１００に対する屋内ナビゲーション支援データについての要求は、モバイルデバイス１００のロケーションの粗いまたは概略推定値を示し得る。モバイルデバイス１００には次いで、モバイルデバイス１００のロケーションの粗いもしくは概略推定値を含み、および／またはそのロケーションに近接するエリアをカバーする屋内ナビゲーション支援データが与えられ得る。
【００３１】
[00035]  図２は、たとえば、建築物などの構造中の商用配電システムの概略図である。ブレーカーパネル２１８が、配線２０４を通してＡＣ電源を接合箱（junction box）２０２および電気コンセント２０８に分配するように、電力会社によって運用される電力グリッドに接続され得る。配線２０４は、建設品質の商用配線を備え得る。ブレーカーパネル２１８に加え、配線２０４は、配線２０４を通して接合箱２０２および電気コンセント２０８にデータ信号を送信することが可能なプロビジョニングエンティティ（provisioning entity）２１２にも接続される。図示されるように、ブレーカーパネル２１８からのＡＣ電力信号および配線２０４および接合箱２０２を通した、プロビジョニングエンティティ２１２から電気コンセント２０８へのデータ信号の送信を許可するスプリッタまたはコネクタ２０６を通して、配線２０４は、ブレーカーパネル２１８とプロビジョニングエンティティ２１２の両方に結合される。ここで、プロビジョニングエンティティ２１２は、ＨｏｍｅＰｌｕｇ  Ｐｏｗｅｒｌｉｎｅ  Ａｌｌｉａｎｃｅによって、またはＩＥＥＥ規格１９０１−２０１０、すなわちＩＥＥＥ  Ｓｔａｎｄａｒｄ  ｆｏｒ  Ｂｒｏａｄｂａｎｄ  ｏｖｅｒ  Ｐｏｗｅｒ  Ｌｉｎｅ  Ｎｅｔｗｏｒｋｓ：Ｍｅｄｉｕｍ  Ａｃｃｅｓｓ  Ｃｏｎｔｒｏｌ  ａｎｄ  Ｐｈｙｓｉｃａｌ  Ｌａｙｅｒ  Ｓｐｅｃｉｆｉｃａｔｉｏｎｓに従って開発されたものなど、よく知られている電力線データ伝送技法を使って、ＡＣ電力信号とは別個の帯域中の配線２０４を介してデータを送信することができる。
【００３２】
[00036]  特定の図示される実装形態において、ビーコン送信機２１０は、ＡＣ電力信号と、電力線データ伝送技法を使ってプロビジョニングエンティティ２１２から送信されるデータとを受信するように、電力ケーブルを通して電気コンセント２０８に接続され得る。代替実装形態（図示せず）では、ビーコン送信機２１０の電力ケーブルは、接合箱に直接（たとえば、どの露出電気コンセントも迂回して）接続され得る。以下で論じるように、ビーコン送信機２１０の電力ケーブルは、プロビジョニングエンティティ２１２からメッセージを受信することが可能な、電力変換回路（たとえば、ＡＣ／ＤＣコンバータ）および変調／復調回路２１４に結合され得る。プロビジョニングエンティティ２１２からプロビジョニングコマンドを受信するのに加え、ビーコン送信機２１０は、たとえば、上／または、現在の電力レベル、エラーコードなどを含む動作状況について、プロビジョニングエンティティ２１２に報告を戻すことができる。したがって、配線２０４は双方向通信をサポートすることができる。
【００３３】
[00037]  特定の実装形態では、プロビジョニングエンティティ２１２は、測位動作での使用のためにビーコン送信機を構成またはプログラムすることが可能であり得る。図１に示す特定の実装形態において上で指摘したように、ビーコン送信機２１０は、たとえばビーコン送信機２１０のロケーションなど、特定の情報で、送信信号を変調することが可能であり得る。たとえば、ビーコン送信機２１０は、いくつかのよく知られているワイヤレス信号変調技法のうちのいずれか１つを使ってビーコン送信機の一意の識別子（たとえば、ＭＡＣアドレス）およびロケーションによって変調されたビーコン信号を送信することができる。一実施形態では、ビーコン送信機２１０は、ビーコン送信機２１０に直接接続されている特定の接合箱２０２に少なくとも部分的に基づいて、ビーコン送信機のロケーション（たとえば、ある場所または建築物の中）を示すビットまたは値を有してプログラムされ得る。
【００３４】
[00038]  一実装形態では、プロビジョニングエンティティ２１２は、特定の配線２０４に接続された接合箱２０２のロケーションの事前知識（a priori knowledge）を有してプログラムされ得る。したがって、プロビジョニングエンティティ２１２は、特定の接合箱２０２の所定のロケーションを有して、特定の接合箱２０２に（たとえば、電力ケーブルおよび電気コンセント２０８を通して）接続されたビーコン送信機２１０をプログラムすることができる。ビーコン送信機２１０は次いで、所定のロケーションでビーコン信号を変調することができる。代替実装形態では、個々の接合箱２０２が、接続されたビーコン送信機２１０を、個々の接合箱２０２のロケーションを有してプログラムすることが可能な回路要素を含んでよく、接続されたビーコン送信機２１０をプログラムするための集中型測位エンティティ２１２を有する必要をなくす。別の代替実装形態では、ビーコン送信機２１０は、壁コンセントに差し込まれるか、または接合箱に直接配線され得る。プロビジョニングエンティティ２１２は次いで、配電網に接続されたビーコンノードの発見を実施するために、ビーコン送信機２１０の変調／復調回路要素２１４と通信することができる。ここで、プロビジョニングエンティティ２１２は、配線２０４を介して１つまたは複数のプローブ信号を送信し、登録について応答するために、特定のビーコン送信機をリッスンすることができる。
【００３５】
[00039]  上で指摘したように、一実施形態では、建築物内の特定の部屋または隣り合う部屋に配置された電気コンセント２０８に商用電力を送信するために、特定の配線２０４が、特定の対応する専用ヒューズまたは回路ブレーカーに接続され得る。したがって、プロビジョニングエンティティ２１２は、特定の部屋または隣り合う部屋に配置された電気コンセント２０８のうちの１つに接続されるべき、特定の配線２０４を通して配電網に接続されたビーコン送信機２１０のロケーションを推論することができる。特定の配線２０４の目標（destination）電気コンセント２０８のロケーションについての（たとえば、特定のある部屋または隣り合う部屋のグループの中にあるという）事前知識があるので、プロビジョニングエンティティ２１２は、既知のロケーションを示すプロビジョニング信号を、特定の配線２０４上でビーコン送信機に送信することができる。
【００３６】
[00040]  一実装形態では、図２に示すように、プロビジョニングエンティティ２１２は、たとえば、建築物の建設または修繕中のプロビジョニングエンティティ２１２および／またはブレーカーパネル２１８のインストール時に熟練技術者によって、ある、あらかじめプログラムされるように電力を分配するための、特定の個々の配線２０４への別個の個々の接続を有し得る。ここで、緯度および経度 または他の座標での、部屋のロケーションなど、特定のロケーションが、プロビジョニングエンティティ２１２にプログラムされてよい。
【００３７】
[00041]  別の実装形態では、プロビジョニングエンティティ２１２は、たとえば、インターネットプロトコル（ＩＰ）サービス（図示せず）に接続され、ウェブインターフェースを通してプログラム可能であり得る。１つの特定の実装形態では、熟練技術者またはオペレータが、たとえば、部屋のロケーションを推定するためのＧＮＳＳ受信機または他の受信機デバイスを使って、特定の配線２０４に対応する、ある部屋または隣り合う部屋のロケーションを測量することができる。ウェブインターフェースにより、熟練技術者は次いで、特定の配線２０４に接続された電気コンセント２０８を測量されたロケーションに関連付けるように、プロビジョニングエンティティ２１２をプログラムすることができる。
【００３８】
[00042]  一実装形態では、プロビジョニングエンティティ２１２は、電気コンセント２０８への特定のビーコン送信機２１２の接続の発見に続いて、特定のビーコン送信機２１０をプロビジョニングすることができる。一実装形態では、ビーコン送信機２１２は、（たとえば、電気コンセント２０８において）電力を受信したことに応答して、たとえば、送信機２１２がコンセントに差し込まれていることを告知するために、電力ケーブルを通して信号を送信し始めることができる。たとえば、ビーコン送信機２１０は、ビーコン送信機２１０の識別子（たとえば、一意のＭＡＣアドレス）を与える、および／またはビーコン送信機２１０の能力を記述する信号を送信すればよい。受信側プロビジョニングエンティティ２１２は次いで、ビーコン送信機２１２を相応に構成するために、プロビジョニング信号をビーコン送信機２１０にアドレス指定すればよい。別の実装形態では、プロビジョニングエンティティ２１２は、配線２０４を通してポーリング信号を定期的に送信し、たとえば、接続されたビーコン送信機２１０の識別子または能力の記述を含む、配線２０４接続されたビーコン送信機２１０からの応答をリッスンすればよい。
【００３９】
[00043]  特定の実装形態シナリオでは、複数のビーコン送信機２１０が同じ配線２０４に接続されてよい。異なるビーコン送信機の（たとえば、発見技術のうちの１つを使って取得された）特定のアドレスまたは識別子についての知識があるので、プロビジョニングエンティティ２１２は、たとえば、配線２０４を通して送信されるプロビジョニング信号上でヘッダまたは他のアドレス指示を与えることによって、同じ配線２０４に接続された複数の異なるビーコン送信機２１０を個々にアドレス指定することができる。
【００４０】
[00044]  図３は、一実装形態による、電力線シグナリング技法を使ってビーコン送信機をプログラムするプロセスの流れ図である。例示的な一実装形態では、図３のプロセスは、上述したようにビーコン信号を変調する際に使われるべきビーコン送信機のロケーションを有してプログラムされるべきビーコン送信機によって実施され得る。ブロック３０２で、ビーコン送信機は、商用品質の電源（utility-grade power source）（たとえば、壁コンセントまたは接合箱（junction box）との直接接続）から、壁コンセントに差込み可能な電力ケーブルなどのケーブル媒体を介して、交流電力信号を受信することができる。さらに、上で指摘したように、ビーコン送信機は、ブロック３０４で、電力線データ伝送技法を使って、集中型プロビジョニングエンティティ（centralized provisioning entity）（たとえば、プロビジョニングエンティティ２１２）からプロビジョニング信号も受信し得る。受信されたプロビジョニング信号は、ほんのいくつか例を挙げると、ビーコン送信機のロケーション（たとえば、相対／絶対位置、高さ／フロア）、所望の送信電力レベル、選択された周波数帯の指示を備え得る。ブロック３０６で、ビーコン送信機は、ブロック３０４で受信されたプロビジョニング信号に応答して、ビーコン送信機のロケーションの指示によって、少なくとも部分的に、基づいて、ビーコン信号を送信するようにプログラムまたは構成され得る。エリア内のモバイルデバイスは次いで、ビーコン信号の収集（acquisition）を測位動作に組み込むことが可能になり得る。
【００４１】
[00045]  ビーコン信号についての送信電力レベルの制御に関して、中央エンティティ（たとえば、プロビジョニングエンティティ２１２）は、異なるビーコン送信機に、それぞれの送信電力を増大または減少するよう命じることができる。さらに、中央エンティティは、異なるビーコン送信機に、送信電力レベルの指示を、送信機それぞれのビーコン信号を変調するデータ信号中で符号化するようにプロビジョニングすることができる。ここで、たとえば、これらのビーコン送信機からビーコン信号を収集するモバイルは、受信信号強度（ＲＳＳＩ）を測定すればよく、ビーコン信号から送信電力を復号することができ、距離の推定値をより良好に決定することができる。
【００４２】
[00046]  一実施形態によると、異なるビーコン送信機に、送信電力を増大または減少するよう、中央エンティティに命じさせることにより、ビーコン送信機からビーコン信号を収集するモバイルデバイスは、屋内ロケーションにある測位ソリューションを調節することが可能になり得る。１つの説明のための例において、屋内環境を通るモバイルデバイスは、ビーコン信号と受信信号強度とを測定することができる。このモバイルデバイスは何らかの中央エンティティ（サーバ）と通信していてもよく、そしてまた、このエンティティは、上述したように、電力線を介してビーコン送信機と通信することができる。さらに、複数のそのようなモバイルデバイスは、電力観察をアップロードまたは報告することができる。中央エンティティは次いで、測位動作の有効性を強めるように、（たとえば、送信電力の減少に対する候補として、強すぎるビーコン信号を送信中であり、他のビーコンとおそらく干渉していることが観察されるビーコン送信機を検出することによって、または送信電力の増加に対する候補として、弱すぎることが観察されるビーコン送信機を検出することによって）様々な被制御ビーコン送信機の送信電力レベルを調整することができる。別の実施形態では、モバイルデバイスは、屋内ロケーションにおいて可視的であるとともにビーコンを調節するために電力を（必要に応じて、上方／下方）調整することが予想される受信ビーコン信号の強度を観察することが可能な熟練技術者ツールを備え得る。このモードにおいて、ツールを使う熟練技術者は、自分の周りにある複数のビーコン送信機を間接的に制御することができる（コマンドが、モバイルから中央エンティティに、次いで、電力線を介して、識別されたビーコンに送られる）。
【００４３】
[00047]  図４は、一実施形態によるビーコン送信機４００の概略図である。ビーコン送信機４００は、図１に示すビーコン送信機１０４または図２に示すビーコン送信機２１０の少なくともいくつかの態様の特定の実装形態を与え得る。ケーブル媒体４０４が、壁コンセントから、または接合箱への直接接続を通して、商用品質の電力信号（たとえば、６０．０Ｈｚで１２０ＶＡＣ）を受信するための接続を備え得る。電源回路（power circuitry）４０２は、受信した商用品質の電力信号をより低いＤＣ電圧に変換し、変換された電力信号をビーコン送信機４００の他の構成要素に分配するように、ケーブル媒体４０４に直接結合され得る。変調器／復調器４０６も、上で論じた電力線データ伝送技法を使って、電力ワイヤーを介して送信されるデータ信号を受信するために、ケーブル媒体４０４に接続される。特定の実装形態では、変調器／復調器４０６は、商用品質の電力信号とは別個の周波数帯上でケーブル媒体４０４において送信された信号を復調することができる。上で指摘したように、復調器４０６において回復されたデータ信号は、ビーコン送信機４００を構成するためのプロセッサ４０８（たとえば、汎用プロセッサおよび／またはプログラム可能デジタル信号プロセッサ）をプログラムするのに使われ得る。また、プロセッサ４０８は、たとえば、状況または診断信号を与えるために、変調器／復調器４０６を通してプロビジョニングエンティティ（たとえば、プロビジョニングエンティティ２１２）に信号を送信することができる。一実施形態によると、プロセッサ４０８は、たとえば、送信機４１０によって送信された信号を変調するための送信電力レベルおよび／またはデータを決定することを含む、送信機４１０の動作態様を制御することができる。特定の例によって指摘されるように、プロセッサ４０８は、（たとえば、変調器／復調器４０６において取得されたデータから決定された）送信機４１０のロケーションを送信するように送信機４１０を制御するようにプログラムされ得る。
【００４４】
[00048]  図４の特定の実装形態は、ビーコン送信機４００が、プロセッサ４０８を構成するためのプログラミング信号を変調器／復調器４０６において受信し得ることを示す。代替実装形態では、ビーコン送信機は、（たとえば、上述したように、ビーコン送信機を構成するための集中コントローラまたはデバイスとの）双方向通信を実装するために、ケーブル媒体上でメッセージを送信するための変調器も含み得る。
【００４５】
[00049]  図５は、一実施形態によるプロビジョニングエンティティ５００の概略図である。プロビジョニングエンティティ２１２（図２）は、図５に示すプロビジョニングエンティティ５００の１つまたは複数の特徴を備え得る。配線５０４が、電気コンセント（たとえば、電気コンセント２０８）に電力を送信する特定の配線に接続され得る。上で指摘したように、プロビジョニングエンティティ５００は、特定の配線５０４に接続されている電気コンセントのロケーション（たとえば、電気コンセントが配置されているある部屋または隣り合う部屋のロケーション）についての事前知識を有し得る。モデムデバイス５０６は、上で論じた電力線シグナリング技法を使って符号化信号を送信および受信するように、対応する配線５０４に接続される。処理ユニット５１１および５４０は、対応する配線５０４およびモデムデバイス５０６を通してプロビジョニングエンティティ５００に接続されたビーコン送信機にプロビジョニングするための機械可読命令を有してプログラムされ得る。たとえば、モデムデバイス５０６は、（たとえば、例として、ビーコン送信機のロケーションを示すための）モデムデバイス５０６に接続されたビーコン送信機に特定のプロビジョニング信号を送信するように、バス５０８上の信号によって個々にアドレス指定可能であり得る。
【００４６】
[00050]  通信インターフェース５３０により、熟練技術者は、たとえば、ビーコン送信機のロケーション、送信電力レベルなどをビーコン送信機にプロビジョニングするようにプロビジョニングエンティティ５００をプログラムすることができるようになり得る。一実装形態では、通信インターフェースは、設置中（たとえば、建設または修繕中）に通信インターフェース５３０においてプログラムするための入力を熟練技術者から受信するためのユーザインターフェース（たとえば、小型ディスプレイおよびキーパッド）を備え得る。代替として、通信インターフェース５３０は、外部通信デバイスからの入力を（たとえば、ウェブインターフェースを通して）受信するために、通信ネットワーク（たとえば、ワイヤレスネットワークやブロードバンドインターネットサービス）にコンピューティングされ得る。
【００４７】
[00051]  図６は、たとえば、図１に関して上記で説明した技法またはプロセスを実装するように構成可能な１つまたは複数のデバイスを含み得る例示的なシステム６００を示す概略図である。システム６００は、たとえば、ワイヤレス通信ネットワーク６０８を通して互いに動作可能に結合され得る、第１のデバイス６０２と、第２のデバイス６０４と、第３のデバイス６０６とを含み得る。一態様では、第１のデバイス６０２は、測位支援データを与えることが可能なサーバを備え得る。また、一態様では、ワイヤレス通信ネットワーク６０８は、たとえば、１つまたは複数のワイヤレスアクセスポイントを備え得る。しかし、特許請求される主題は、これらの点について範囲が限定されない。
【００４８】
[00052]  図６に示された第１のデバイス６０２、第２のデバイス６０４および第３のデバイス６０６は、ワイヤレス通信ネットワーク６０８を介してデータを交換するように構成可能であり得る任意のデバイス、アプライアンスまたは機械を表し得る。限定ではなく例として、第１のデバイス６０２、第２のデバイス６０４または第３のデバイス６０６のいずれかが、たとえば、デスクトップコンピュータ、ラップトップコンピュータ、ワークステーション、サーバデバイスなどの１つまたは複数のコンピューティングデバイスまたはコンピューティングプラットフォーム、たとえば、携帯情報端末、モバイル通信デバイスなどの１つまたは複数のパーソナルコンピューティングデバイス、パーソナルコンピューティング機器、パーソナル通信デバイス、またはパーソナル通信機器、たとえば、データベースまたはデータストレージサービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ能力、あるいはそれらの任意の組合せを含み得る。第１のデバイス６０２、第２のデバイス６０４、および第３のデバイス６０６のいずれもが、それぞれ、本明細書で説明される例による基地局アルマナックサーバ、基地局、またはモバイルデバイスのうちの１つまたは複数を備え得る。
【００４９】
[00053]  同様に、図６に示されるワイヤレス通信ネットワーク６０８は、第１デバイス６０２、第２デバイス６０４、および第３デバイス６０６とのうちの少なくとも２つの間でのデータの交換をサポートするように構成可能な１つまたは複数の通信リンク、プロセス、またはリソースを表す。限定ではなく例として、ワイヤレス通信ネットワーク６０８は、ワイヤレスもしくはワイヤード通信リンク、電話もしくは遠隔通信システム、データバスもしくはチャネル、光ファイバ、地上もしくは宇宙ビークルリソース（space vehicle resource）、ローカルエリアネットワーク、広域ネットワーク、イントラネット、インターネット、ルータもしくはスイッチなど、またはそれらの任意の組合せを含み得る。たとえば、第３のデバイス６０６の部分的に隠されたものとして図示された破線の箱によって示されるように、ワイヤレス通信ネットワーク６０８に動作可能に結合された追加の同様のデバイスがあり得る。
【００５０】
[00054]  システム６００に示す様々なデバイスおよびネットワークの全部または一部ならびに本明細書でさらに説明するプロセスおよび方法が、ハードウェア、ファームウェア、ソフトウェア、もしくはその任意の組合せを使用して、またはさもなければ含めて実装され得ることを認識されたい。
【００５１】
[00055]  したがって、限定ではなく例として、第２のデバイス６０４は、バス６２８を介してメモリ６２２に動作可能に結合された少なくとも１つの処理ユニット６２０を含み得る。
【００５２】
[00056]  処理ユニット６２０は、データコンピューティング手順またはプロセスの少なくとも一部分を実行するように構成可能な１つまたは複数の回路を表す。限定ではなく例として、処理ユニット６２０は、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００５３】
[00057]  メモリ６２２は何らかのデータ記憶機構を表す。メモリ６２２は、たとえば、１次メモリ６２４または２次メモリ６２６を含み得る。１次メモリ６２４は、たとえば、ランダムアクセスメモリ、読取り専用メモリなどを含み得る。この例では処理ユニット６２０とは別個であるものとして示されているが、１次メモリ６２４の全部または一部は、処理ユニット６２０内に設けられるか、またはさもなければ処理ユニット６２０と共設／結合され得ることを理解されたい。
【００５４】
[00058]  ２次メモリ６２６は、たとえば、１次メモリと同じもしくは同様のタイプのメモリ、または、たとえば、ディスクドライブ、光ディスクドライブ、テープドライブ、ソリッドステートメモリドライブなど、１つもしくは複数のデータストレージデバイスもしくはシステムを含み得る。いくつかの実施態様では、２次メモリ６２６は、コンピュータ可読媒体６４０を動作可能に受容するか、またはさもなければそれに結合するように構成可能であり得る。コンピュータ可読媒体６４０は、たとえば、システム６００内のデバイスのうちの１つまたは複数のためにデータ、コード、または命令を担持するかアクセス可能にすることができる任意の非一時的媒体を含み得る。コンピュータ可読媒体６４０は記憶媒体と呼ばれることもある。
【００５５】
[00059]  第２のデバイス６０４は、たとえば、少なくともワイヤレス通信ネットワーク６０８への第２のデバイス６０４の動作可能な結合を与えるか、またはさもなければそれをサポートする通信インターフェース６３０を含み得る。限定ではなく例として、通信インターフェース６３０は、ネットワークインターフェースデバイスまたはカード、モデム、ルータ、スイッチ、トランシーバなどを含み得る。
【００５６】
[00060]  第２のデバイス６０４は、たとえば、入力／出力デバイス６３２を含み得る。入力／出力デバイス６３２は、人間もしくは機械の入力を受け入れるか他の形で導入するように構成可能とすることができる１つもしくは複数のデバイスもしくは特徴、または人間もしくは機械の出力を配送する方の形で提供するように構成可能とすることができる１つもしくは複数のデバイスもしくは特徴を表す。限定ではなく例として、入力／出力デバイス６３２は、動作可能に構成されたディスプレイ、スピーカー、キーボード、マウス、トラックボール、タッチスクリーン、データポートなどを含み得る。
【００５７】
[00061]  本明細書で説明した方法は、特定の例による応用例に応じて、様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つもしくは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を実施するように設計された他のデバイスユニット、またはそれらの組合せの中で実装され得る。
【００５８】
[00062]  本明細書に含まれる詳細な説明のいくつかの部分は、特定の装置または特殊目的コンピューティングデバイスもしくはプラットフォームのメモリ内に記憶される２値デジタル信号に対する演算のアルゴリズムまたは記号表現に関して提示する。この特定の明細書のコンテキストでは、特定の装置などの用語は、プログラムソフトウェアからの命令に従って特定の動作を実施するようにプログラムされた後の汎用コンピュータを含む。アルゴリズムの説明または記号表現は、信号処理または関連技術において当業者が、自身の仕事の本質を他の当業者に伝達するために使用する技法の例である。アルゴリズムは、本明細書では、また一般に、所望の結果をもたらす自己無撞着な一連の演算または同様の信号処理であると考えられる。このコンテキストでは、演算または処理は物理量の物理的操作を伴う。必ずしもそうとは限らないが、一般に、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字などと呼ぶことは時々便利であることがわかっている。ただし、これらまたは同様の用語はすべて、適切な物理量に関連すべきものであり、便利なラベルにすぎないことを理解されたい。別段に明記されていない限り、本明細書の説明から明らかなように、本明細書全体にわたって、「処理する」、「算出する」、「計算する」、「決定する」などの用語を利用する説明は、専用コンピュータ、専用計算装置または同様の専用電子コンピューティングデバイスなど、特定の装置の動作またはプロセスを指すことを諒解されたい。したがって、本明細書の文脈では、専用コンピュータまたは同様の専用電子コンピューティングデバイスは、専用コンピュータまたは同様の専用電子コンピューティングデバイスのメモリ、レジスタもしくは他の情報記憶デバイス、送信デバイス、またはディスプレイデバイス内の電子的な物理量または磁気的な物理量として一般に表される信号を、操作または変換することが可能である。
【００５９】
[00063]  本明細書で説明するワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ（radio access technology）」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ（登録商標）」）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公的に入手可能である。４Ｇロングタームエボリューション（「ＬＴＥ」：Long Term Evolution）通信ネットワークも、一態様において、特許請求する主題に従って実装され得る。ＷＬＡＮは、ＩＥＥＥ８０２．１１ｘネットワークを備えることができ、ＷＰＡＮは、Ｂｌｕｅｔｏｏｔｈネットワーク、たとえば、ＩＥＥＥ８０２．１５ｘを備えることができる。本明細書で説明したワイヤレス通信実装形態はまた、ＷＷＡＮ、ＷＬＡＮまたはＷＰＡＮの任意の組合せとともに使用され得る。
【００６０】
[00064]  別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【００６１】
[00065]  本明細書で説明する技法は、いくつかのＧＮＳＳおよび／またはＧＮＳＳの組合せのうちのいずれか１つを含むＳＰＳとともに使用され得る。さらに、そのような技法は、「擬似衛星（pseudolite）」として働く地上送信機、またはＳＶとそのような地上送信機との組合せを利用する測位システムとともに使用され得る。地上波送信機は、たとえば、ＰＮコードまたは（たとえば、ＧＰＳもしくはＣＤＭＡセルラー信号と同様の）他のレンジングコード（ranging code）をブロードキャストする地上送信機を含み得る。そのような送信機は、リモート受信機による識別を可能にするように一意のＰＮコードを割り当てられ得る。地上波送信機は、たとえば、トンネルの中、鉱山内、建築物の中、ビルの谷間または他の閉じられたエリア内などの、周回軌道ＳＶからのＳＰＳ信号が利用できないことがある状況においてＳＰＳを補強するのに有用であり得る。擬似衛星の別の実装形態は無線ビーコンとして知られている。本明細書で使用する「ＳＶ」という用語は、擬似衛星、擬似衛星の同等物、および場合によっては他のものとして働く地上波送信機を含むものとする。本明細書で使用する「ＳＰＳ信号」および／または「ＳＶ信号」という用語は、擬似衛星または擬似衛星の同等物として働く地上波送信機を含む、地上波送信機からのＳＰＳ様の信号を含むものとする。
【００６２】
[00066]  本明細書で使用する「および」、および「または」という用語は、それが使用される文脈に少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。本明細書全体にわたる「一例」または「例」という言及は、その例に関して説明する特定の特徴、構造、または特性が、特許請求する主題の少なくとも１つの例の中に含まれることを意味する。したがって、本明細書全体にわたる様々な箇所における「一例では」または「例」という句の出現は、必ずしもすべてが同じ例を指すとは限らない。さらに、それらの特定の特徴、構造、または特性は、１つまたは複数の例において組み合わせられ得る。本明細書で説明した例は、機械、デバイス、エンジン、またはデジタル信号を使用して動作する装置を含み得る。そのような信号は、電子信号、光信号、電磁信号、またはロケーション間で情報を提供する任意の形態のエネルギーを備え得る。
【００６３】
[00067]  現在例示的な特徴と考えられていることを例示し説明したが、特許請求する主題から逸脱することなく、他の様々な変更を行うことができ、同等物を代用することができることが、当業者には理解されよう。さらに、本明細書に記載の中心概念から逸脱することなく、特許請求する主題の教示に特定の状況を適合させるために多くの変更を行うことができ得る。したがって、特許請求する主題は、開示された特定の例に限定されず、そのような特許請求する主題は、添付の特許請求の範囲の範囲内に入るすべての態様、およびその均等物をも含み得るものとする。
以下に、本願出願の当初の特許請求の範囲に記載された発明を付記する。
［Ｃ１］  測位ビーコン送信機において、
ケーブル媒体を介して、商用品質の電源から交流電力信号を受信することと、
プロビジョニングエンティティから前記ケーブル媒体を介してプロビジョニング信号を受信することと、前記プロビジョニング信号は、前記測位ビーコン送信機のロケーションの指示を備える、
前記測位ビーコン送信機の前記ロケーションの前記指示によって、少なくとも部分的に、変調されたビーコン信号を送信するように、前記測位ビーコン送信機を構成することとを備える方法。
［Ｃ２］  前記プロビジョニング信号は、一意の識別子、絶対送信機位置、相対送信機位置、住所、高度、または階数のうちの１つまたは複数を備える、Ｃ１に記載の方法。
［Ｃ３］  前記ビーコン信号の送信電力を調整するための指示を、少なくとも部分的に、変調された前記ビーコン信号を送信するように、前記測位ビーコン送信機を構成することをさらに備える、Ｃ１に記載の方法。
［Ｃ４］  前記送信電力を調整するための前記指示は、特定の指定された送信電力レベルで電源オフ状態から電源入り状態に遷移するための指示を備える、Ｃ３に記載の方法。
［Ｃ５］  前記送信電力を調整するための前記指示は、電源オフ状態から遷移するための指示を備える、Ｃ３に記載の方法。
［Ｃ６］  前記交流電力信号を受信することは、電気用壁面ソケットから前記交流電力信号を受信することを備える、Ｃ１に記載の方法。
［Ｃ７］  商用品質の交流電力信号を受信するための、ケーブル媒体に接続されるべき電源回路と、
前記ケーブル媒体上で受信されたデータ信号を復調するために前記ケーブル媒体に接続されるべき復調器と、
ビーコン信号を送信するためのワイヤレス送信機と、
前記復調データ信号に応答して、前記データ信号中の、前記測位ビーコン送信機のロケーションの指示によって、少なくとも部分的に、変調された前記ビーコン信号を送信するように前記ワイヤレス送信機を構成するためのプロセッサとを備える測位ビーコン送信機。
［Ｃ８］  前記データ信号は、前記交流電力信号からは実質的に分離された周波数帯上で、前記ケーブル媒体上で送信される、Ｃ７に記載の測位ビーコン送信機。
［Ｃ９］  前記ロケーションの前記指示は、一意の識別子、絶対送信機位置、相対送信機位置、住所、高さまたは階数のうちの１つまたは複数を備える、Ｃ７に記載の測位ビーコン送信機。
［Ｃ１０］  前記プロセッサは、さらに、前記測位ビーコン送信機を構成するための前記復調データ信号に応答して、前記ビーコン信号の送信電力を調整するための指示を、少なくとも部分的に、変調された前記ビーコン信号を送信するように前記ワイヤレス送信機を構成するためのものである、Ｃ７に記載の測位ビーコン送信機。
［Ｃ１１］  前記ロケーションの前記指示は、一意の識別子、絶対送信機位置、相対送信機位置、住所、高さまたは階数のうちの１つまたは複数を備える、Ｃ７に記載の測位ビーコン送信機。
［Ｃ１２］  測位ビーコン送信機の特殊目的コンピューティング装置によって実行可能な、記憶された機械可読命令を備える非一時的記憶媒体を備える物品であって、前記命令が、
商用品質の電源に接続されたケーブル媒体を介してプロビジョニングエンティティから受信されたプロビジョニング信号を取得するように、前記プロビジョニング信号は前記測位ビーコン送信機のロケーションの指示を備える、
前記測位ビーコン送信機の前記ロケーションの前記指示によって、少なくとも部分的に、変調されたビーコン信号を送信するように、前記測位ビーコン送信機を構成するように、実行可能である、物品。
［Ｃ１３］  ケーブル媒体を介して、商用品質の電源から交流電力信号を受信するための手段と、
前記ケーブル媒体を介して、プロビジョニングエンティティからプロビジョニング信号を受信するための手段と、前記プロビジョニング信号は、前記ロケーションビーコンのロケーションの指示を備える、
前記測位ビーコン送信機の前記ロケーションの前記指示によって、少なくとも部分的に、変調されたビーコン信号を送信するように、測位ビーコン送信機を構成するための手段とを備える装置。
［Ｃ１４］  プロビジョニングエンティティにおいて、
１つまたは複数の測位ビーコン送信機を構成するための１つまたは複数のコマンドを決定することと、
前記１つまたは複数のコマンドを、建築物内の商用品質の電源としての、交流電力信号の送信用のワイヤーを介した送信のために変調することと、
前記１つまたは複数のコマンドを、１つまたは複数のプロビジョニング信号として、前記ワイヤーを介して前記１つまたは複数の測位ビーコン送信機に送信することと、前記１つまたは複数のプロビジョニング信号は、前記１つまたは複数の測位ビーコン送信機のロケーションの指示を備える、を備える方法。
［Ｃ１５］  前記ワイヤーを通してプローブ信号をブロードキャストし、前記ブロードキャストされたプローブ信号に応答した、前記１つまたは複数の測位ビーコン送信機からの応答信号を受信することによって、前記１つまたは複数の測位ビーコン送信機を発見することをさらに備える、Ｃ１４の方法。
［Ｃ１６］  前記ロケーションの前記指示は、一意の識別子、絶対送信機位置、相対送信機位置、住所、高さまたは階数のうちの１つまたは複数を備える、Ｃ１４に記載の方法。
［Ｃ１７］  前記１つまたは複数のプロビジョニング信号は、前記１つまたは複数の測位ビーコン送信機から送信される１つまたは複数のビーコン信号の送信電力を調整するための指示をさらに備える、Ｃ１４に記載の方法。
［Ｃ１８］  送信電力を調整するための前記指示は、特定の指定された送信電力レベルにおいて電源オフ状態から電源入り状態に遷移するための指示を備える、Ｃ１７に記載の方法。
［Ｃ１９］  送信電力を調整するための前記指示は、電源オフ状態から遷移するための指示を備える、Ｃ１７に記載の方法。
［Ｃ２０］  建築物内の商用品質の電源としての、交流電力信号の送信用のワイヤーを介してデータ信号を送信するためのトランシーバと、
１つまたは複数の測位ビーコン送信機を構成するための１つまたは複数のコマンドを決定することと、
前記ワイヤーを介して、前記１つまたは複数の測位ビーコン送信機への、１つまたは複数のプロビジョニング信号としての、前記１つまたは複数のコマンドの送信を開始することと、前記１つまたは複数のプロビジョニング信号は、前記１つまたは複数の測位ビーコン送信機のロケーションの指示を備える、を行うためのプロセッサとを備える装置。
［Ｃ２１］  前記プロセッサはさらに、
前記ワイヤーを通して前記トランシーバによってプローブ信号のブロードキャストを開始すること、および
前記ブロードキャストされたプローブ信号に応答して、前記１つまたは複数の測位ビーコン送信機からの前記トランシーバにおいて受信された応答信号を取得することによって、前記１つまたは複数の測位ビーコン送信機を発見することのためのものである、Ｃ２０に記載の装置。
［Ｃ２２］  前記ロケーションの前記指示は、一意の識別子、絶対送信機位置、相対送信機位置、住所、高さまたは階数のうちの１つまたは複数を備える、Ｃ２０に記載の装置。
［Ｃ２３］  前記１つまたは複数のプロビジョニング信号は、前記１つまたは複数の測位ビーコン送信機から送信される１つまたは複数のビーコン信号の送信電力を調整するための指示をさらに備える、Ｃ２０に記載の装置。
［Ｃ２４］  送信電力を調整するための前記指示は、特定の指定された送信電力レベルにおいて電源オフ状態から電源入り状態に遷移するための指示を備える、Ｃ２３に記載の装置。
［Ｃ２５］  送信電力を調整するための前記指示は、電源オフ状態から遷移するための指示を備える、Ｃ２３に記載の装置。
［Ｃ２６］  特殊目的コンピューティング装置によって実行可能な、記憶された機械可読命令を備える記憶媒体を備える物品であって、前記命令は、
１つまたは複数の測位ビーコン送信機を構成するための１つまたは複数のコマンドを決定し、
１つまたは複数のプロビジョニング信号としての前記１つまたは複数のコマンドの送信を、建築物内の商用品質の電源としての、交流電力信号の送信用のワイヤーを介して、前記１つまたは複数の測位ビーコン送信機に対して開始する、前記１つまたは複数のプロビジョニング信号は、前記１つまたは複数の測位ビーコン送信機のロケーションの指示を備える、ように実行可能である、物品。
［Ｃ２７］  １つまたは複数の測位ビーコン送信機を構成するための１つまたは複数のコマンドを決定するための手段と、
前記１つまたは複数のコマンドを、建築物内の商用品質の電源としての、交流電力信号の送信用のワイヤーを介した送信のために変調するための手段と、
前記１つまたは複数のコマンドを、１つまたは複数のプロビジョニング信号として、前記ワイヤーを介して前記１つまたは複数の測位ビーコン送信機に送信するための手段と、前記１つまたは複数のプロビジョニング信号は、前記１つまたは複数の測位ビーコン送信機のロケーションの指示を備える、を備える装置。
【図１】
0006042570.tif 000002
【図２】
0006042570.tif 000003
【図３】
0006042570.tif 000004
【図４】
0006042570.tif 000005
【図５】
0006042570.tif 000006
【図６】
0006042570.tif 000007